(57)【特許請求の範囲】
【請求項１】
無線端末と、前記無線端末に接続される有線通信網と、無線公衆網と、前記無線端末との間で微弱または小電力無線の携帯通信モードで通信可能な携帯機及びこの携帯機との間で微弱または小電力無線の携帯通信モードで通信可能であるとともに前記無線公衆網との間で移動無線モードで通信可能な移動局本体とを備えた携帯端末とによりネットワークシステムを構成し、前記携帯機が前記無線端末との間で所定の通信可能状態になったときに、前記移動局本体における前記無線公衆網との通信を行う回路部の電源を切断する手段が動作させるものであって、前記無線公衆網の転送電話サービスを用いて当該無線公衆網への番号の着信を、予め前記携帯機の電話番号として定めておいた前記無線端末のサブアドレス付き電話番号または公衆電話番号に転送するようにセットされた前記無線端末を通して前記有線通信網に専用的に接続される携帯機。
【請求項２】
無線端末と、前記無線端末に接続される有線通信網と、無線公衆網と、前記無線端末との間で微弱または小電力無線の携帯通信モードで通信可能な携帯機及びこの携帯機との間で微弱または小電力無線の携帯通信モードで通信可能であるとともに前記無線公衆網との間で移動無線モードで通信可能な移動局本体とを備えた携帯端末とによりネットワークシステムを構成し、前記携帯機が前記無線端末との間で所定の通信可能状態になったとき、前記無線公衆網の転送電話サービスを用いて当該無線公衆網への番号の着信を、予め前記携帯機の電話番号として定めておいた前記無線端末のサブアドレス付き電話番号または公衆電話番号に転送するようにセットし、前記移動局本体に配置された前記無線公衆網との通信を行う回路部の電源を切断する手段を動作させる移動局。
【請求項３】
無線端末と、前記無線端末に接続される有線通信網と、無線公衆網と、前記無線端末との間で微弱または小電力無線の携帯通信モードで通信可能な携帯機及びこの携帯機との間で微弱または小電力無線の携帯通信モードで通信可能であるとともに前記無線公衆網との間で移動無線モードで通信可能な移動局本体とを有する携帯端末とによりネットワークシステムを構成し、前記携帯機が前記無線端末との間で所定の通信可能状態になったとき、前記無線端末の移動局本体が前記無線公衆網との通信を行う回路部の電源を切断する手段を動作させ、前記携帯機と前記無線端末との間で通信または待ち受けを行わせる一方、この待ち受けを行う前に、前記無線公衆網の転送電話サービスを用いて当該無線公衆網への番号の着信を、予め前記携帯機の電話番号として定めておいた前記無線端末のサブアドレス付き電話番号または公衆電話番号に転送するようにセットさせる無線端末。
【請求項４】
無線端末と、前記無線端末に接続される有線通信網と、無線公衆網と、前記無線端末との間で微弱または小電力無線の携帯通信モードで通信可能な携帯機及びこの携帯機との間で微弱または小電力無線の携帯通信モードで通信可能であるとともに前記無線公衆網との間で移動無線モードで通信可能な移動局本体とを有する携帯端末とによりネットワークシステムを構成し、前記携帯機が前記無線端末との間で所定の通信可能状態になったとき、前記移動局本体における前記無線公衆網との通信を行う回路部の電源を切断する手段を動作させ、前記携帯機と前記無線端末との間で通信または待ち受けを行わせる一方、この待ち受けを行う前に、前記無線公衆網の転送電話サービスを用いて当該無線公衆網への番号の着信を、予め前記携帯機の電話番号として定めておいた前記無線端末のサブアドレス付き電話番号または公衆電話番号に転送するようにセットさせるネットワークシステム。
【請求項５】
請求項３記載の無線端末において、該無線端末は、ワイヤレスＴＡであることを特徴とする無線端末。
【請求項６】
請求項４記載のネットワークシステムにおいて、前記携帯機及び前記無線端末との間の携帯通信モードにＢｌｕｅＴｏｏｔｈ方式を用い、前記移動局本体と前記無線公衆網との間の移動無線モードにワイドバンドＣＤＭＡを用いることを特徴とするネットワークシステム。
【請求項７】
請求項４記載のネットワークシステムにおいて、前記移動局本体における無線公衆網との通信を行う回路部の電源を切断する手段は、前記携帯機の表示部の表示に基づき手動操作によって動作させるものであることを特徴とするネットワークシステム。
【発明の詳細な説明】
【０００１】
【発明の属する技術分野】
本発明は、無線公衆網または有線通信網と通信可能な携帯端末のネットワークシステムに関する。
【０００２】
【従来の技術】
特願平１１−１１２４９４号公報には、ポケット型の携帯機とカバン携行型のＰＤＣまたはＣＤＭＡ等の移動局本体とに分離可能な携帯無線機において、携帯機と移動局本体間を微弱または小電力の無線通信を行い、移動局本体からＣＤＭＡ等高速新方式の無線公衆網にアクセス可能に構成し、かつ操作部を小型軽量化することが提案されている。この携帯無線機は、カバン携行型の移動局本体が無線公衆網にアクセスするので送信回路の出力が大きく、受信回路は感度向上や誤り率低減のため複雑で回路規模は大きくなるため小型化することは困難であるが、ポケット型の携帯機は微弱または小電力無線で移動局本体と通信するだけなので送受信回路は消費電力、回路規模共に小さくバツテリーも小型となり、携帯機と移動局とを分離することにより操作部の小型軽量化も達成することができる等優れた特徴を有している。
【０００３】
【発明が解決しようとする課題】
しかし、上記公報に示される携帯無線機は、ビル内やその陰、地下等の各種構内、家宅等の場所では無線公衆網は圏外となり通信不能となったり、あるいはやっと電波が届くところであっても、元来、電力消費が大きく使用時間の短い移動局本体は電波が途切れる度に頻繁に間欠受信動作を行うことから短時間でバッテリーが空になり使用できなくなるという問題があった。
【０００４】
本発明の目的は、携帯端末と無線公衆網との間のＰＤＣ，ＣＤＭＡ等の移動無線モードによる通信、および有線通信網に接続される無線端末との間で微弱または小電力無線の携帯通信モードによる通信が可能であるとともに、無線公衆網との通信に優先して有線通信網との通信を行う携帯端末のネットワークシステムに関する。
【０００５】
【課題を解決するための手段】
本発明は、上記の課題を解決するために、次のような手段を採用した。
【０００６】
第１の手段は、無線端末と、前記無線端末に接続される有線通信網と、無線公衆網と、前記無線端末との間で微弱または小電力無線の携帯通信モードで通信可能な携帯機及びこの携帯機との間で微弱または小電力無線の携帯通信モードで通信可能であるとともに前記無線公衆網との間で移動無線モードで通信可能な移動局本体とを備えた携帯端末とによりネットワークシステムを構成し、前記携帯機が前記無線端末との間で所定の通信可能状態になったときに、前記移動局本体における前記無線公衆網との通信を行う回路部の電源を切断する手段が動作させるものであって、前記無線公衆網の転送電話サービスを用いて当該無線公衆網への番号の着信を、予め前記携帯機の電話番号として定めておいた前記無線端末のサブアドレス付き電話番号または公衆電話番号に転送するようにセットされた前記無線端末を通して前記有線通信網に専用的に接続される携帯機を提供する。
【０００７】
第２の手段は、無線端末と、前記無線端末に接続される有線通信網と、無線公衆網と、前記無線端末との間で微弱または小電力無線の携帯通信モードで通信可能な携帯機及びこの携帯機との間で微弱または小電力無線の携帯通信モードで通信可能であるとともに前記無線公衆網との間で移動無線モードで通信可能な移動局本体とを備えた携帯端末とによりネットワークシステムを構成し、前記携帯機が前記無線端末との間で所定の通信可能状態になったとき、前記無線公衆網の転送電話サービスを用いて当該無線公衆網への番号の着信を、予め前記携帯機の電話番号として定めておいた前記無線端末のサブアドレス付き電話番号または公衆電話番号に転送するようにセットし、前記移動局本体に配置された前記無線公衆網との通信を行う回路部の電源を切断する手段を動作させる移動局を提供する。
【０００８】
第３の手段は、無線端末と、前記無線端末に接続される有線通信網と、無線公衆網と、前記無線端末との間で微弱または小電力無線の携帯通信モードで通信可能な携帯機及びこの携帯機との間で微弱または小電力無線の携帯通信モードで通信可能であるとともに前記無線公衆網との間で移動無線モードで通信可能な移動局本体とを有する携帯端末とによりネットワークシステムを構成し、前記携帯機が前記無線端末との間で所定の通信可能状態になったとき、前記無線端末の移動局本体が前記無線公衆網との通信を行う回路部の電源を切断する手段を動作させ、前記携帯機と前記無線端末との間で通信または待ち受けを行わせる一方、この待ち受けを行う前に、前記無線公衆網の転送電話サービスを用いて当該無線公衆網への番号の着信を、予め前記携帯機の電話番号として定めておいた前記無線端末のサブアドレス付き電話番号または公衆電話番号に転送するようにセットさせる無線端末を提供する。
【０００９】
第４の手段は、無線端末と、前記無線端末に接続される有線通信網と、無線公衆網と、前記無線端末との間で微弱または小電力無線の携帯通信モードで通信可能な携帯機及びこの携帯機との間で微弱または小電力無線の携帯通信モードで通信可能であるとともに前記無線公衆網との間で移動無線モードで通信可能な移動局本体とを有する携帯端末とによりネットワークシステムを構成し、前記携帯機が前記無線端末との間で所定の通信可能状態になったとき、前記移動局本体における前記無線公衆網との通信を行う回路部の電源を切断する手段を動作させ、前記携帯機と前記無線端末との間で通信または待ち受けを行わせる一方、この待ち受けを行う前に、前記無線公衆網の転送電話サービスを用いて当該無線公衆網への番号の着信を、予め前記携帯機の電話番号として定めておいた前記無線端末のサブアドレス付き電話番号または公衆電話番号に転送するようにセットさせるネットワークシステムを提案する。
【００１０】
第５の手段は、第３の手段における無線端末において、該無線端末は、ワイヤレスＴＡであることを特徴とする。
【００１１】
第６の手段は、第４の手段において、前記携帯機及び前記無線端末との間の携帯通信モードにＢｌｕｅＴｏｏｔｈ方式を用い、前記移動局本体と前記無線公衆網との間の移動無線モードにワイドバンドＣＤＭＡを用いることを特徴とする。
【００１７】
【発明の実施の形態】
はじめに、本発明の第１の実施形態を図１ないし図４を用いて説明する。
【００１８】
図１は、本実施形態に係る携帯端末のネットワークシステムの構成を示すブロック図である。
【００１９】
同図において、１は携帯機２および移動局本体３からなる携帯端末、２は移動局本体３との間で微弱または小電力無線の通信路を介して接続されるとともに、ワイヤレスＴＡ４との間で微弱または小電力無線の通信を行う携帯機、３は無線公衆網７の公衆基地局７１との間で通信を行う移動局本体、３０は携帯機２と微弱または小電力無線通信を行うための送受信アンテナ、３２は無線公衆網７の公衆基地局７１との間でＰＤＣ（ｐｅｒｓｏｎａｌ  ｄｉｇｉｔａｌ  ｃｅｌｌｕｌａｒ；標準デジタル携帯電話方式）またはＣＤＭＡ（ｃｏｄｅ  ｄｉｖｉｓｉｏｎ  ｍｕｌｔｉｐｌｅ  ａｃｃｅｓｓ；次世代の携帯電話の標準方式）の公衆無線通信を行うための送受信アンテナ、４はＩＳＤＮ網５やＣＡＴＶ網６等の有線通信網に接続され、携帯機２との間で微弱または小電力無線通信を行うための無線端末であるワイヤレスＴＡ、５はＩＳＤＮ網、６はＣＡＴＶ網、７は無線公衆網、７１は無線公衆網に含まれる無線公衆網基地局である。
【００２０】
ここで、ワイヤレスＴＡ４は、ビル内、ビルの陰、地下内、さらには家宅等の建築物内に設置され、この建築物内は、微弱または小電力無線の通信網を構成し、建築物外はＩＳＤＮ網５およびＣＡＴＶ網６等の有線通信網で構成される。
【００２１】
また、携帯機２と移動局本体３から成る携帯端末１は、微弱または小電力無線の携帯通信モードとＰＤＣまたはＣＤＭＡ等の移動無線モードで通信する機能を備えており、ワイヤレスＴＡ４と携帯機２間および携帯機２と移動局本体３間には微弱または小電力無線の携帯通信モードからなる無線通信が可能な通信網を形成し、移動局本体３と無線公衆網基地局７１間にはＰＤＣまたはＣＤＭＡ等の移動無線モードからなる無線通信が可能な通信網が形成されている。
【００２２】
図２および図３は、図１に示す携帯機２および移動局本体３の具体的構成を示すとともに、図２は携帯機２のみでワイヤレスＴＡ４経由で通信を行う場合の通信形態を示し、図３は移動局本体３のみで無線公衆網と通信を行う場合の通信形態を示す図である。
【００２３】
これらの図において、２０はワイヤレスＴＡ４または移動局本体３と微弱または小電力無線通信を行うための送受信アンテナ、２１は第３の無線部、２２は携帯機制御部、２３はバッテリー、２４は着信音のリンガー、２５はスピーカ、２６は液晶等の表示部、２７はキーパッド等の入力部、２８はマイクロホン、３０は携帯機２と微弱または小電力無線通信を行うための送受信アンテナ、３１は第２の無線部、３２は無線公衆網と無線通信を行う送受信アンテナ、３３は第１の無線部、３４はスイッチ、３５は制御部、３６はバツテリーである。
【００２４】
次に、本実施形態に係る携帯端末１の動作について図１ないし図４とともに説明する。なお、図４は、図１に示す携帯端末のネットワークシステムにおいて、携帯端末１が携帯機２のみでワイヤレスＴＡ４経由で通信を行う様子を示す図である。
【００２５】
はじめに、携帯端末１が携帯機２のみでワイヤレスＴＡ４経由で通信を行う場合は、図４に示すように、携帯端末１の携帯機２とワイヤレスＴＡ４との間にワイヤレスＴＡの通信圏が形成されている。
【００２６】
このような状態では、図２に示すように、送受信アンテナ２０はワイヤレスＴＡ４から到来電波を検出し、第３の無線部２１はこの到来電波を復調して携帯機制御部２２に出力する。携帯機制御部２２は到来電波がワイヤレスＴＡ４の圏内であるか否かを判断する。携帯機制御部２２はその判断結果を第３の無線部２１および送受信アンテナ２０を介して移動局本体３に通知する。移動機本体３の制御部３５は、送受信アンテナ３０および第２の無線部３１を介して前記判断結果を知り、それが前記ワイヤレスＴＡ４の通信圏内にあることから、スイツチ３４を切断する。スイッチ３４の切断により、移動局本体３の消費電力のほとんどを占めている第１の無線部３３の動作が停止し、移動無線モードＯＦＦの状態となり、極めて低消費電力の携帯機２のみがワイヤレスＴＡ４を介して通信または待ち受けを行うことなる。
【００２７】
この状態で携帯端末１が通信を行う場合は、携帯機２を持ったユーザの音声はマイクロホン２８に入力され携帯機制御部２２でＡＤ変換され、さらにフレーミング処理され第３の無線部２１で変調されて送受信アンテナ２０を介してワイヤレスＴＡ４に送信される。ワイヤレスＴＡ４で受信された信号は有線通信網を経由して通信相手に伝送される。通信相手からの音声データは有線通信網を経由してワイヤレスＴＡ４から携帯機２に伝送される。携帯機２では伝送電波を送受信アンテナ２０を介して受信し、第３の無線部２１で復調して携帯機制御部２２に送出し、携帯機制御部２２でフレーミング処理、さらにはＤＡ変換してスピーカ２５から音声が出力される。
【００２８】
また、着信を受ける場合は、携帯機２のみが待ち受けを行う前に、携帯機２と移動局本体３とが自動的に、または携帯機２と移動局本体３とを介してユーザが手動で、ＰＤＣまたはＣＤＭＡの公衆網の転送電話サービスを用いてＰＤＣまたはＣＤＭＡの番号への着信を予め携帯機２の電話番号として定めておいたワイヤレスＴＡ４のサブアドレス付電話番号に転送するようセットし、その後スイッチ３４を０ＦＦにする。この状態で、携帯端末１のＰＤＣまたはＣＤＭＡの番号に着信があると、無線公衆網７で転送され、ワイヤレスＴＡ４のネットワークの１端末として動作している携帯機２に着信しリンガー２４を鳴動する。この鳴動により、ユーザはキーパッド等の入力部２７を操作してこれに応答すれことにより、前記に説明したと同様の通信状態となる。
【００２９】
また、微弱または小電力無線が無線公衆網で使用可能な番号を有し、ワイヤレスＴＡ４が公衆基地局機能を持つ場合には、転送先としてセットする番号は公衆用の番号をそのままセットすることもできる。
【００３０】
次に、携帯端末１が無線公衆網７と通信を行う場合について説明する。
【００３１】
携帯端末１を持ったユーザがワイヤレスＴＡ４の圏外に出た時は、図３に示すように、送受信アンテナ２０にはワイヤレスＴＡ４からの電波が来なくなり、携帯機制御部２２は到来電波がワイヤレスＴＡ４の圏外であることを移動局本体３に通知する。移動局本体３の制御部３５は、送受信アンテナ３０および第２の無線部３１を介して前記判断結果を知り、ワイヤレスＴＡ４の通信圏外にあることからスイッチ３４をＯＮする。ここで、携帯端末１がワイヤレスＴＡ４の圏外であることを液晶等の表示部２６への絵文字表示によりユーザが知り得る場合は、キーパツド等の入力部２７等を操作して、手動リモコンでスイッチ３４をＯＮしてもよい。
【００３２】
この状態で携帯端末１が通信を行う場合は、携帯機２を持ったユーザの音声はマイクロホン２８に入力され携帯機制御部２２でＡＤ変換ないし符号化され、フレーミング処理されて第３の無線部２１で変調されて送受信アンテナ２０を介して移動局本体３に送信される。移動局本体３では送受信アンテナ３０および第２の無線部３１を介して受信され復調された音声デジタルデータは、制御部３５で速度変換、フレーミング処理が施され、第１の無線部３３で変調され無線公衆網７の送受信アンテナ３２から送信され、無線公衆網７を経由して通信相手に伝送される。通信相手からの音声データは、無線公衆網７の送受信アンテナ３２で受信され第１の無線部３３で復調され、制御部３５で速度変換、フレーミング処理が施され、第２の無線部３１で変調されて送受信アンテナ３０から携帯機２に伝送される。携帯機２では、送受信アンテナ２０で受信された信号は第３の無線部２１で復調されて、携帯機制御部２２でフレーミング処理、復号化ないしＤＡ変換されてスピーカ２５から音声出力される。
【００３３】
本実施形態では、携帯機２とワイヤレスＴＡ４間および携帯機２と移動局本体３間に用いられる微弱または小電力無線の携帯通信モードの一例として、Ｂｌｕｅ  Ｔｏｏｔｈ（日米欧の５社による、パソコンや携帯電話等の無線による相互接続するための仕様の開発コード名）を用いる。
【００３４】
Ｂｌｕｅ  Ｔｏｏｔｈは、伝送距離は数十メートルまでと短いが、送受信装置が極めて小型化でき、伝送レートは１〜２Ｍｂｐｓの高速の伝送も可能となり、携帯機からワンタッチで高速インターネットにアクセスする等の応用が可能となる。この場合、外部有線網としてはＣＡＴＶ、無線公衆網の方式としてはワイドバンドＣＤＭＡとすれば伝送レートを高くできることから組合せとして有利である。特にワイドバンドＣＤＭＡの場合は送受信回路が複雑で消費電力も大きくなるので、Ｂｌｕｅ  Ｔｏｏｔｈにより携帯機を小型化することが適している。
【００３５】
次に、本発明の第２の実施形態を図５および図６を用いて説明する。
【００３６】
図５および図６は、図１に示す携帯端末１と異なる形態の携帯端末１の構成を示すとともに、図５は携帯端末１をワイヤレスＴＡ４経由で通信を行う場合の通信形態を示し、図６は携帯端末１と無線公衆網と通信を行う場合の通信形態を示すブロック図である。
【００３７】
これらの図において、００はワイヤレスＴＡ４および無線公衆網との無線通信に共用される送受信アンテナ、０１は混合器、０２は無線公衆網用の第１の無線部、０３は微弱または小電力無線用の第３の無線部、０４はスイッチ、０５は制御部、０６はバッテリー、０７はリンガー、０８はスピーカ、０９は液晶等の表示部、１０はキーパッド等の入力部、１１はマイクロホンである。
【００３８】
本実施形態の携帯端末１は、第１の実施形態のものに比べて、携帯機と移動局本体とを一体化した点で相違しており、携帯端末１の小型化にはさほど寄与しないが、携帯端末１をシンプル化できる点で優れている。
【００３９】
次に、本実施形態に係る携帯端末１の動作について図５および図６とともに説明する。
【００４０】
はじめに、携帯端末１がワイヤレスＴＡ４経由で通信を行う場合は、図５に示すように、送受信アンテナ００および混合器０１を介して第３の無線部０３は到来電波を検出し、制御部０５に復調信号を出力する。制御部０５は到来電波がワイヤレスＴＡ４の圏内であるか否かを判断し、それがワイヤレスＴＡ４の圏内であるのでスイッチ０４を切断する。これにより、携帯端末１の消費電力の大半を占めている第１の無線部０２が動作しなくなり、移動無線モードがＯＦＦ状態となり極めて低消費電力でワイヤレスＴＡ４を介して通信または待ち受けを行うことができる。
【００４１】
この状態で通信を行う場合は、携帯端末１を持ったユーザの音声はマイクロホン１１に入力され制御部０５でＡＤ変換ないし符号化され、フレーミング処理されて第３の無線部０３で変調され混合器０１および送受信アンテナ００を介してワイヤレスＴＡ４に送信される。送信された信号は有線通信網を経由して通信相手に伝送される。通信相手からの音声データは有線通信網を経由してワイヤレスＴＡ４から携帯端末１に伝送され、携帯端末１では送受信アンテナ００および混合器０１を介して受信され、第３の無線部０３で復調されて制御部０５でフレーミング処理、復号化、ＤＡ変換されスピーカ０８から音声出力される。
【００４２】
また、着信を受ける場合は、移動無線モードＯＦＦの状態となる前に、携帯端末１が自動的に、あるいは携帯端末１を介してユーザが手動で、ＰＤＣまたはＣＤＭＡの公衆網の転送電話サービスを用いてＰＤＣまたはＣＤＭＡの番号への着信を予めポケット型携帯機の電話番号として定めておいたワイヤレスＴＡ４のサブアドレス付電話番号に転送するようセットした後、スイツチ０４を０ＦＦする。この状態で、携帯端末１のＰＤＣまたはＣＤＭＡの番号に着信があると、公衆網で転送されワイヤレスＴＡ４のネットワークの１端末として動作している端末１に着信しリンガー０７が鳴動する。この鳴動により、ユーザはキーパッド等の入力部１０を操作してこれに応答すれば、前記した説明と同様の通信状態となる。
【００４３】
また、微弱または小電力無線が無線公衆網で使用可能な番号を有し、ワイヤレスＴＡ４が公衆基地局機能を持つ場合には、先に説明したと同様に、転送先としてセットする番号は公衆用の番号をそのままセットすることもできる。
【００４４】
次に、携帯端末１が無線公衆網と通信を行う場合について説明する。
【００４５】
端末１を持ったユーザがワイヤレスＴＡ４の圏外に出た時、図６に示すように、送受信アンテナ００にワイヤレスＴＡ４からの電波が来なくなり、制御部０５はワイヤレスＴＡ４の圏外にあることから、スイッチ０４をＯＮする。なお、ワイヤレスＴＡ４の圏外であることが液晶等の表示部０９への絵文字表示によりユーザが知り得る場合は、キーパツド１０等の入力部等を操作して、手動リモコンでスイッチ０４をＯＮしてもよい。
【００４６】
この状態で通信を行う場合、携帯端末１を持ったユーザの音声はマイクロホン１１に入力され制御部０５でＡＤ変換、符号化、フレーミング処理が施され第１の無線部０２で変調され混合器０１および送受信アンテナ００を介して無線公衆網を経由して通信相手に伝送される。通信相手からの音声データは無線公衆網を経由して携帯端末１に伝送される。携帯端末１では送受信アンテナ００および混合器０１を介して受信され、第１の無線部０２で復調された信号は、制御部０５でフレーミング処理、復号化、ＤＡ変換されスピーカ０８から音声出力される。
【００４７】
本実施形態のように、携帯機と移動局本体を一体化した携帯端末１とワイヤレスＴＡ４とでネットワークを構成する場合は、無線公衆網としてＰＤＣが挙げられる。
【００４８】
ＰＤＣは伝送レートは低いが、ＣＤＭＡ等と比較してやや小型化が可能であり、携帯機と移動局本体を一体化する実現性が高い。この場合、一体化には互いの周波数帯が近く回路共用化の可能性があるＰＨＳを組み合わせるのが有利である。例えば、携帯通信モードとしてＰＨＳを、移動無線モードとしてＰＤＣを用いるとよい。
【００４９】
【発明の効果】
本発明によれば、携帯機のみにより、設置された無線端末との間で微弱または小電力無線の内部網を形成することにより構内／家庭内等無線公衆網の不感地域でも通信可能になる。また、内部無線網から有線の外部網に接続するため、無線公衆網で通信する場合に比べ通信科金が低減される。
また、携帯機が内部網の圏内にある間は移動局本体の移動無線部の電源供給をＯＦＦすることにより不要な電力消費を防止する。携帯機による待ち受けが容易に行える。携帯機が小型化できる。携帯機を小型化できるので、小電力無線の携帯通信モードにＢｌｕｅＴｏｏｔｈ方式を採用し、移動無線モードにワイドバンドＣＤＭＡを採用することができる。
設置された無線端末との間で微弱または小電力無線の内部網を形成することにより構内／家庭内等無線公衆網の不感地域でも通信可能になる。また、内部無線網から有線の外部網に接続するため、無線公衆網で通信する場合に比べ通信科金が低減される。また、携帯端末が内部網の圏内にある間は移動無線部の電源供給をＯＦＦすることにより不要な電力消費を防止する。また、携帯機と移動局本体との一体化により、互いの周波数帯が近く回路共用化の可能性があるので、ＰＨＳとの組み合わせが可能となる。
さらに、無線端末を無線公衆網の電波が到来しにくい箇所、到来しやすい箇所に係わらず、ビル、地下構造物、家宅等の建築物に設置することにより、容易に微弱または小電力無線の内部網を形成することができる。
【図面の簡単な説明】
【図１】本発明の第１の実施形態に係る携帯端末のネットワークシステムの構成を示すブロック図である。
【図２】図１に示す携帯機２および移動局本体３の具体的構成を示すとともに、携帯機２のみでワイヤレスＴＡ４経由で通信を行う場合の通信形態を示す図である。
【図３】図１に示す携帯機２および移動局本体３の具体的構成を示すとともに、移動局本体３経由で携帯機２が無線公衆網と通信を行う場合の通信形態を示す図である。
【図４】図１に示す携帯端末のネットワークシステムにおいて、携帯端末１が携帯機２のみでワイヤレスＴＡ４経由で通信を行う様子を示す図である。
【図５】本発明の第２の実施形態に係る携帯端末１の構成を示すとともに、携帯端末１をワイヤレスＴＡ４経由で通信を行う場合の通信形態を示す図である。
【図６】本発明の第２の実施形態に係る携帯端末１の構成を示すとともに、携帯端末１と無線公衆網とが通信を行う場合の通信形態を示すブロック図である
【符号の説明】
１  携帯端末
２  携帯機
２０  送受信アンテナ
２１  第３の無線部
２２  携帯機制御部
２３  バッテリー
２４  リンガー
２５  スピーカ
２６  表示部
２７  入力部
２８  マイクロホン
３  移動局本体
３０，３２  送受信アンテナ
３１  第２の無線部
３３  第１の無線部
３４  スイッチ
３５  制御部
３６  バッテリー
４  ワイヤレスＴＡ
５  ＩＳＤＮ網
６  ＣＡＴＶ網
７  無線公衆網
００  送受信アンテナ
０１  混合器
０２  第１の無線部
０３  第３の無線部
０４  スイッチ
０５  制御部
０６  バッテリー
０７  リンガー
０８  スピーカ
０９  表示部
１０  入力部
１１  マイクロホン
【図１】
0004206179.tif 000002
【図２】
0004206179.tif 000003
【図３】
0004206179.tif 000004
【図４】
0004206179.tif 000005
【図５】
0004206179.tif 000006
【図６】
0004206179.tif 000007